【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
インクを吐出可能な複数のノズルを配列した記録ヘッドを用いて記録媒体に記録を行うインクジェット記録装置であって、
前記記録媒体の同一の記録領域に対して前記記録ヘッドを相対的に主走査方向へ複数回主走査させる主走査手段と、
前記主走査手段による主走査と主走査の間に、前記主走査方向と交差する副走査方向に沿って前記記録媒体と前記記録ヘッドとを相対的に移動させる副走査手段と、
前記同一の記録領域に対する前記複数回の主走査それぞれにおいて異なるマスクパターンを用いて、前記同一の記録領域に対応する画像データを間引く間引き手段と、
前記複数回の主走査それぞれで前記間引き手段によって間引かれた画像データに応じて前記同一の記録領域に間引き画像を記録し、当該同一の記録領域に記録すべき画像を完成させる記録制御手段とを備え、
前記副走査方向に連続して記録される複数の記録領域のうち、少なくとも副走査方向先端に位置する先端記録領域に対して行われる前記複数回の主走査の中の所定の主走査において使用されるマスクパターンの間引き率は、前記所定の主走査より後続の主走査において使用されるマスクパターンの間引き率よりも高いことを特徴とするインクジェット記録装置。
【請求項２】
前記先端記録領域に対して行われるＭ（Ｍは２以上の整数）回の主走査の中で、第Ｎ主走査（１≦Ｎ＜Ｍ）において使用されるマスクパターンの間引き率は、第Ｎ＋１主走査において使用されるマスクパターンの間引き率よりも高いことを特徴とする請求項１に記載のインクジェット記録装置。
【請求項３】
前記先端記録領域に対して行われるＭ（Ｍは３以上の整数）回の主走査の中で、第Ｎ主走査（１≦Ｎ＜Ｍ）において使用されるマスクパターンの間引き率は、第Ｎ＋１主走査において使用されるマスクパターンの間引き率と同じであり、且つ第Ｎ＋１主走査において使用されるマスクパターンの間引き率は、第Ｎ＋２主走査において使用されるマスクパターンの間引き率よりも高いことを特徴とする請求項１に記載のインクジェット記録装置。
【請求項４】
前記副走査方向に連続して記録される複数の記録領域のうち、前記先端記録領域を含むＬ個（Ｌは１以上の整数）の連続する記録領域に対応する画像データに対しては、前記複数回の主走査の中の少なくとも２回の主走査において間引き率が異なるマスクパターンを適用し、
前記副走査方向に連続して記録される複数の記録領域のうち、前記Ｌ個の連続する記録領域よりも前記副走査方向先端から離れて位置する記録領域に対応する画像データに対しては、前記複数回の主走査において同じ間引き率のマスクパターンを適用することを特徴とする請求項１乃至３のいずれかに記載のインクジェット記録装置。
【請求項５】
複数色のインクを吐出可能な複数の記録ヘッドを用いて記録媒体に記録を行うインクジェット記録装置であって、
前記記録媒体上の記録領域に対して前記複数の記録ヘッドを相対的に主走査方向へ主走査させる主走査手段と、
前記主走査方向と交差する副走査方向に沿って前記記録媒体と前記複数の記録ヘッドとを相対的に間欠移動させる副走査手段と、
同じ記録領域に対して複数回の主走査を行うことにより、前記同じ記録領域に記録すべき画像を完成させる記録制御手段とを備え、
前記記録制御手段は、前記副走査方向に連続して記録される複数の記録領域のうち、少なくとも副走査方向先端に位置する記録領域に対して行われる前記複数回の主走査の中で、走査順位の高いノズル群により記録を行う主走査における記録率が、走査順位の低いノズル群により記録を行う主走査の記録率よりも低くなるように、前記複数の記録ヘッドにおけるノズル群により記録を行う主走査の記録率を制御することを特徴とするインクジェット記録装置。
【請求項６】
前記記録制御手段は、前記記録領域に対応する画像データをマスクパターンで間引くことによって、前記記録領域に対応する画像データを前記記録領域に対する走査回数と同数の画像データに分割する間引き手段を有し、
前記間引き手段は、前記走査順位の高いノズル群に対応する画像データに対し第１の記録率のマスクパターンを適用し、前記走査順位の低いノズル群に対応する画像データに対して前記第１の記録率よりも高い第２の記録率のマスクパターンを適用することを特徴とする請求項５に記載のインクジェット記録装置。
【請求項７】
前記副走査方向に連続して記録される複数の記録領域は、同一の記録媒体の中の副走査方向において異なる２箇所に配置されることを特徴とする請求項１ないし６のいずれかに記載のインクジェット記録装置。
【請求項８】
インクを吐出可能な複数のノズルを配列した記録ヘッドを用いて記録媒体に記録を行うインクジェット記録方法であって、
前記記録媒体の同一の記録領域に対して前記記録ヘッドを相対的に主走査方向へ複数回主走査させる主走査工程と、
前記主走査工程における主走査と主走査の間に、前記主走査方向と交差する副走査方向に沿って前記記録媒体と前記記録ヘッドとを相対的に移動させる副走査工程と、
前記同一の記録領域に対する前記複数回の主走査それぞれにおいて異なるマスクパターンを用いて、前記同一の記録領域に対応する画像データを間引く間引き工程と、
前記複数回の主走査それぞれで前記間引き工程において間引かれた画像データに応じて前記同一の記録領域に間引き画像を記録し、当該同一の記録領域に記録すべき画像を完成させる記録工程とを備え、
前記副走査方向に連続して記録される複数の記録領域のうち、少なくとも副走査方向先端に位置する先端記録領域に対して行われる前記複数回の主走査の中の所定の主走査において使用されるマスクパターンの間引き率は、前記所定の主走査より後続の主走査において使用されるマスクパターンの間引き率よりも高いことを特徴とするインクジェット記録方法。
【手続補正２】
【補正対象書類名】明細書
【補正対象項目名】００２８
【補正方法】変更
【補正の内容】
【００２８】
すなわち、本発明の第１の形態は、インクを吐出可能な複数のノズルを配列した記録ヘッドを用いて記録媒体に記録を行うインクジェット記録装置であって、前記記録媒体の同一の記録領域に対して前記記録ヘッドを相対的に主走査方向へ複数回主走査させる主走査手段と、前記主走査手段による主走査と主走査の間に、前記主走査方向と交差する副走査方向に沿って前記記録媒体と前記記録ヘッドとを相対的に移動させる副走査手段と、前記同一の記録領域に対する前記複数回の主走査それぞれにおいて異なるマスクパターンを用いて、前記同一の記録領域に対応する画像データを間引く間引き手段と、前記複数回の主走査それぞれで前記間引き手段によって間引かれた画像データに応じて前記同一の記録領域に間引き画像を記録し、当該同一の記録領域に記録すべき画像を完成させる記録制御手段とを備え、前記副走査方向に連続して記録される複数の記録領域のうち、少なくとも副走査方向先端に位置する先端記録領域に対して行われる前記複数回の主走査の中の所定の主走査において使用されるマスクパターンの間引き率は、前記所定の主走査より後続の主走査において使用されるマスクパターンの間引き率よりも高いことを特徴とする。
また、本発明の第２の形態は、複数色のインクを吐出可能な複数の記録ヘッドを用いて記録媒体に記録を行うインクジェット記録装置であって、前記記録媒体上の記録領域に対して前記複数の記録ヘッドを相対的に主走査方向へ主走査させる主走査手段と、前記主走査方向と交差する副走査方向に沿って前記記録媒体と前記複数の記録ヘッドとを相対的に間欠移動させる副走査手段と、同じ記録領域に対して複数回の主走査を行うことにより、前記同じ記録領域に記録すべき画像を完成させる記録制御手段とを備え、前記記録制御手段は、前記副走査方向に連続して記録される複数の記録領域のうち、少なくとも副走査方向先端に位置する記録領域に対して行われる前記複数回の主走査の中で、走査順位の高いノズル群により記録を行う主走査における記録率が、走査順位の低いノズル群により記録を行う主走査の記録率よりも低くなるように、前記複数の記録ヘッドにおけるノズル群により記録を行う主走査の記録率を制御することを特徴とする。
【手続補正３】
【補正対象書類名】明細書
【補正対象項目名】００２９
【補正方法】変更
【補正の内容】
【００２９】
また、本発明の第３の形態は、インクを吐出可能な複数のノズルを配列した記録ヘッドを用いて記録媒体に記録を行うインクジェット記録方法であって、前記記録媒体の同一の記録領域に対して前記記録ヘッドを相対的に主走査方向へ複数回主走査させる主走査工程と、前記主走査工程における主走査と主走査の間に、前記主走査方向と交差する副走査方向に沿って前記記録媒体と前記記録ヘッドとを相対的に移動させる副走査工程と、前記同一の記録領域に対する前記複数回の主走査それぞれにおいて異なるマスクパターンを用いて、前記同一の記録領域に対応する画像データを間引く間引き工程と、前記複数回の主走査それぞれで前記間引き工程において間引かれた画像データに応じて前記同一の記録領域に間引き画像を記録し、当該同一の記録領域に記録すべき画像を完成させる記録工程とを備え、前記副走査方向に連続して記録される複数の記録領域のうち、少なくとも副走査方向先端に位置する先端記録領域に対して行われる前記複数回の主走査の中の所定の主走査において使用されるマスクパターンの間引き率は、前記所定の主走査より後続の主走査において使用されるマスクパターンの間引き率よりも高いことを特徴とする。